(57)【要約】【課題】電磁シールド部品において、硬質のパイプの中空部における電線の収容密度を高めても、パイプ端部のカバーなどの追加部品を要することなく、パイプのエッジに接触することによる電線の損傷を防止すること。【解決手段】シールドパイプ２は、一端からの一部において内周面および外周面が隣に連なる部分のそれよりも大きな径で形成された拡径部２２を有する。環状の連結部材４は、柔軟シールド部材３における拡径部２２の内周面側に重なった重なり部３２を、シールドパイプ２の内周面との間に挟み込んで留める。【選択図】図２
2015149176.tif 000002
【特許請求の範囲】
【請求項１】
金属材料を含み硬質の筒状に形成され、一端からの一部において内周面および外周面が隣に連なる部分のそれよりも大きな径で形成された拡径部を有するシールドパイプと、
金属材料を含み柔軟な筒状に形成され、一端寄りの一部が前記シールドパイプにおける前記拡径部の内周面側に重なった重なり部を成し、前記シールドパイプとともに一連の中空部を形成している柔軟シールド部材と、
環状に形成され、前記柔軟シールド部材の前記重なり部を前記シールドパイプの内周面との間に挟み込んで留めている連結部材と、を備える電磁シールド部品。
【請求項２】
前記連結部材の内周面は前記シールドパイプにおける前記拡径部の隣に連なる部分の内周面と同じ径以上で形成されている、請求項１に記載の電磁シールド部品。
【請求項３】
前記シールドパイプは、金属パイプと前記金属パイプの外周面に形成された絶縁被膜とを有する、請求項１または請求項２に記載の電磁シールド部品。
【請求項４】
非導電性の筒状の弾性部材であり、自然状態において、前記シールドパイプの一部の周囲を囲む一端寄りの部分の内周面が、前記シールドパイプにおける前記拡径部の隣に連なる部分の外周面よりも大きな径で、かつ、前記拡径部の外周面よりも小さな径で形成されたグロメットをさらに備える、請求項１から請求項３のいずれか１項に記載の電磁シールド部品。
【請求項５】
電線と、前記電線の周囲を囲む筒状の電磁シールド部品と、を備え、
前記電磁シールド部品は、
金属材料を含み硬質の筒状に形成され、一端からの一部において内周面および外周面が隣に連なる部分よりも大きな径で形成された拡径部を有するシールドパイプと、
金属材料を含み柔軟な筒状に形成され、一端寄りの一部が前記シールドパイプにおける前記拡径部の内周面側に重なった重なり部を成し、前記シールドパイプとともに前記電線が通る一連の中空部を形成している柔軟シールド部材と、
環状に形成され、前記柔軟シールド部材の前記重なり部を前記シールドパイプの内周面との間に挟み込んで留めている連結部材と、を備える電磁シールド部品付電線。
【発明の詳細な説明】
【技術分野】
【０００１】
本発明は、硬質のシールドパイプと柔軟シールド部材とを含む電磁シールド部品およびそれを備える電磁シールド部品付電線に関する。
【背景技術】
【０００２】
自動車などの車両に搭載されるワイヤハーネスにおいて、電線の周囲を囲む電磁シールド部品が採用される場合がある。例えば、電磁シールド部品は、硬質の金属パイプとこれに連結された筒状の編組線とを有する。
【０００３】
電磁シールド部品において、金属パイプは、電磁シールド機能を果たすとともに、電線を物理的に保護し、さらに、電線を予め定められた配線経路に沿う形状に維持する。
【０００４】
一方、編組線は、銅線が編み込まれて筒状に形成された部材であるため、柔軟性を有する。柔軟性を有する編組線は、電磁シールド機能を果たすとともに、電線の末端寄りの部分の曲げ変形を可能にする。
【０００５】
特許文献１に示されるように、通常、金属パイプと編組線とは、カシメリングによって連結される。この場合、カシメリングは、金属パイプをその外周面側から締め付け、金属パイプにおける端部寄りの外周面に被さった編組線の一部を金属パイプとの間に挟み込む。これにより、編組線の端部寄りの部分が、金属パイプの端部寄りの部分の外周面側に留まる。
【０００６】
一方、特許文献２が示すシールド導電路において、編組線は、金属パイプ内に挿入された支持部材の外周面と金属パイプにおけるカシメ部（圧縮部）の内周面との間に挟み込まれる。これにより、編組線の端部寄りの部分が、金属パイプの端部寄りの部分の内周面側に留まる。
【先行技術文献】
【特許文献】
【０００７】
【特許文献１】特開２００７−２８０８１４号公報
【特許文献２】特開２００６−３１０２７号公報
【発明の概要】
【発明が解決しようとする課題】
【０００８】
ところで、従来の一般的な電磁シールド部品においては、金属パイプの端面が、編組線の内側に存在する。この場合、金属パイプの中空部に通された電線が金属パイプの端面のエッジに接触することによる電線の損傷が懸念される。
【０００９】
そこで、一般的な電磁シールド部品は、金属パイプの端部を覆うエッジカバーを備えている。しかしながら、昨今、部品管理の工数低減の要請から、エッジカバーを用いずに電線の損傷を防止できることが望まれている。
【００１０】
一方、特許文献２が示すシールド導電路においては、編組線が、電線と金属パイプの端部との間に介在して電線の損傷を防ぐ。そのため、エッジカバーは不要である。
【００１１】
特許文献２が示すシールド導電路において、金属パイプの内周面と電線束の外周面との間に、編組線を留める支持部材を挿入できるだけの隙間が必要である。
【００１２】
しかしながら、より細い金属パイプの採用が必要な場合、金属パイプの中空部における電線の収容密度を高めることが必要となり、金属パイプ内に支持部材を挿入できるだけの隙間を確保することが難しくなる。
【００１３】
本発明は、電磁シールド部品において、硬質のパイプの中空部における電線の収容密度を高めても、パイプ端部のカバーなどの追加部品を要することなく、パイプのエッジに接触することによる電線の損傷を防止することを目的とする。
【課題を解決するための手段】
【００１４】
第１態様に係る電磁シールド部品は、シールドパイプと柔軟シールド部材と連結部材とを備える。
（１）上記シールドパイプは、金属材料を含み硬質の筒状に形成された部材である。上記シールドパイプは、一端からの一部において内周面および外周面が隣に連なる部分のそれよりも大きな径で形成された拡径部を有する。
（２）上記柔軟シールド部材は、金属材料を含み柔軟な筒状に形成された部材である。上記柔軟シールド部材において、一端寄りの一部が上記シールドパイプにおける上記拡径部の内周面側に重なった重なり部を成している。上記柔軟シールド部材は、上記シールドパイプとともに一連の中空部を形成している。
（３）上記連結部材は、環状に形成され、上記柔軟シールド部材の上記重なり部を上記シールドパイプの内周面との間に挟み込んで留めている部材である。
【００１５】
第２態様に係る電磁シールド部品は、第１態様に係る電磁シールド部品の一態様である。第２態様に係る電磁シールド部品において、上記連結部材の内周面は上記シールドパイプにおける上記拡径部の隣に連なる部分の内周面と同じ径以上で形成されている。
【００１６】
第３態様に係る電磁シールド部品は、第１態様または第２態様に係る電磁シールド部品の一態様である。第３態様に係る電磁シールド部品において、上記シールドパイプは、金属パイプと上記金属パイプの外周面に形成された絶縁被膜とを有する。
【００１７】
第４態様に係る電磁シールド部品は、第１態様から第３態様のいずれか１つに係る電磁シールド部品の一態様である。第４態様に係る電磁シールド部品は、非導電性の筒状の弾性部材であるグロメットをさらに備える。上記グロメットは、自然状態において、上記シールドパイプの一部の周囲を囲む一端寄りの部分の内周面が、上記シールドパイプにおける前記拡径部の隣に連なる部分の外周面よりも大きな径で、かつ、上記拡径部の外周面よりも小さな径で形成されている。
【００１８】
第５態様に係る電磁シールド部品付電線は、電線と上記の各態様のいずれか１つに係る電磁シールド部品とを備える。この場合、筒状の電磁シールド部品は、電線の周囲を囲む。
【発明の効果】
【００１９】
上記の各態様において、金属材料を含む硬質のシールドパイプの端部には、隣に連なる部分よりも大きな径で形成された拡径部が形成されている。そして、柔軟シールド部材は、シールドパイプの拡径部の内側面とその内側の連結部材との間に挟み込まれている。
【００２０】
従って、上記の各態様によれば、金属材料を含む丈夫な柔軟シールド部材が、電線とシールドパイプの端部との間に介在して電線の損傷を防ぐ。そのため、シールドパイプのエッジのカバーは不要である。
【００２１】
また、上記の各態様によれば、シールドパイプにおける拡径部以外の部分の内周面と電線の外周面との間の隙間が小さくても、拡径部において、柔軟シールド部材を留める連結部材を挿入できるだけの隙間を確保することができる。そのため、シールドパイプ（硬質パイプ）の中空部における電線の収容密度を高めても、柔軟シールド部材をシールドパイプに問題なく連結できる。
【００２２】
また、上記の各態様によれば、後述するように、電磁シールド部品の中空部に電線を通す工程において、柔軟シールド部材の中空部に電線をその端から貫通させる必要がない。その結果、電磁シールド部品の中空部に電線を容易に通すことが可能になる。
【００２３】
また、第２態様によれば、シールドパイプの拡径部内に挿入された連結部材の内周面が、シールドパイプにおける拡径部の隣に連なる部分の内周面の延長面から内側へ突出しない。そのため、シールドパイプ（硬質パイプ）の中空部における電線の収容密度をより高めることができる。また、電線がシールドパイプの中空部に通される際に、電線が連結部材に引っ掛かりにくい。
【００２４】
また、第３態様において、シールドパイプは、金属パイプと金属パイプの外周面に形成された絶縁被膜とを有する。絶縁被膜は、金属パイプに高電圧が生じた場合でも感電を防ぐ。また、柔軟シールド部材は、金属パイプ（シールドパイプ）の内周面に接する。そのため、シールドパイプの絶縁被膜が金属パイプと柔軟シールド部材との電気的な接続を阻害することもない。
【００２５】
また、第４態様において、グロメットは、柔軟シールド部への液体の浸入を防ぐための部材であり、その一端寄りの部分はシールドパイプに対してその拡径部の外周面に密接する状態で被せられる閉塞部である。グロメットにおける閉塞部の内周面は、シールドパイプにおける拡径部の隣に連なる部分の外周面よりも大きな径で、かつ、拡径部の外周面よりも小さな径で形成されている。
【００２６】
グロメットを含む電磁シールド部品が車両のボディなどの支持体に取り付けられる際、グロメットをシールドパイプの外周面に沿って移動させることが必要になる。閉塞部がシールドパイプの外周面に密接した状態のまま、摩擦係数の大きなグロメットをシールドパイプの外周面に沿って摺動させるためには、大きな力が必要である。
【００２７】
第４態様においては、グロメットの閉塞部は、シールドパイプの拡径部の隣に連なる部分の外周面よりも大きな径で形成されている。そのため、グロメットをシールドパイプの外周面に沿って移動させる作業において、グロメットの閉塞部がシールドパイプの拡径部を通るとき以外は、ごく小さな力でグロメットを移動させることができる。その結果、グロメットを含む電磁シールド部品を支持体に取り付ける作業が容易となる。
【図面の簡単な説明】
【００２８】
【図１】第１実施形態に係る電磁シールド部品付電線１０の主要部の斜視図である。
【図２】電磁シールド部品付電線１０の主要部の縦断面図である。
【図３】電磁シールド部品付電線１０が備える電磁シールド部品が第１の方法で製造される場合におけるシールドパイプの端部の第１縦断面図（パイプ拡径加工前）である。
【図４】電磁シールド部品付電線１０が備える電磁シールド部品が第１の方法で製造される場合におけるシールドパイプの端部の第２縦断面図（パイプ拡径加工中）である。
【図５】電磁シールド部品付電線１０が備える電磁シールド部品が第１の方法で製造される場合における電磁シールド部品の主要部の縦断面図（連結部材装着前）である。
【図６】柔軟シールド部材が電線に被せられるときの電磁シールド部品付電線１０の主要部の縦断面図である。
【図７】電磁シールド部品付電線１０が備える電磁シールド部品が第２の方法で製造される場合における電磁シールド部品の主要部の第１縦断面図（連結部材装着中）である。
【図８】電磁シールド部品付電線１０が備える電磁シールド部品が第２の方法で製造される場合における電磁シールド部品の主要部の第２縦断面図（パイプ拡径加工前）である。
【図９】電磁シールド部品付電線１０が備える電磁シールド部品が第２の方法で製造される場合における電磁シールド部品の主要部の第２縦断面図（パイプ拡径加工中）である。
【図１０】第２実施形態に係る電磁シールド部品付電線１０Ａの主要部の縦断面図である。
【発明を実施するための形態】
【００２９】
以下、添付の図面を参照しながら、実施形態について説明する。以下の実施形態は、本発明を具体化した一例であり、本発明の技術的範囲を限定する事例ではない。各実施形態に係る電磁シールド部品付電線は、例えば自動車などの車両に搭載されるワイヤハーネスとして提供される。
【００３０】
＜第１実施形態＞
まず、図１，２を参照しつつ、第１実施形態に係る電磁シールド部品付電線１０の構成について説明する。図１が示すように、電磁シールド部品付電線１０は、電線１と電線１の周囲を囲む筒状の電磁シールド部品５とを備えている。なお、図２の断面図において、電線１については側面が示されている。図６，１０の断面図においても、同様に電線１については側面が示されている。
【００３１】
＜電線＞
電線１は、導電性の芯線とその芯線の周囲を覆う絶縁被覆とを有する絶縁電線である。図１が示す例では、電磁シールド部品付電線１０は複数の電線１を備え、電磁シールド部品５はそれら複数の電線１を囲んでいる。
【００３２】
電磁シールド部品５は、シールドパイプ２と柔軟シールド部材３と連結部材４とを備えている。シールドパイプ２および柔軟シールド部材３は、電線１が通る一連の中空部を形成している。
【００３３】
なお、便宜上、図１，２等において、シールドパイプ２の中空部における電線１の収容密度が比較的小さい状態、即ち、シールドパイプ２の内周面と電線１の外周面との隙間が比較的大きい状態が示されている。しかしながら、各実施形態において、電線１が、図示される状態よりも高い収容密度でシールドパイプ２の中空部に収容されていることも考えられる。
【００３４】
なお、電線１が、複芯のケーブルであることも考えられる。複芯のケーブルは、複数の芯線と、それら複数の芯線の相互間を絶縁するとともにそれら複数の芯線を一括して覆う絶縁被覆とを有する。
【００３５】
続いて第１実施形態に係る電磁シールド部品５について説明する。電磁シールド部品５は、シールドパイプ２と柔軟シールド部材３とが連結部材４によって連結され、これにより一連の筒状に形成された構造を有している。
【００３６】
＜シールドパイプ＞
シールドパイプ２は、金属材料を含み硬質の筒状に形成された部材である。本実施形態では、シールドパイプ２はアルミニウムまたはステンレスなどの金属を主成分とする金属パイプである。
【００３７】
なお、シールドパイプ２が、金属パイプと金属パイプの一部に形成された非導電性の物質とが一体になった部材であることも考えられる。例えば、シールドパイプ２が、金属パイプとその金属パイプの内周面および外周面の一部に形成された絶縁被膜とを有するパイプであることなどが考えられる。
【００３８】
シールドパイプ２は、その両端のうちの少なくとも一方からの一部を成す拡径部２２とその他の部分を成す基部２１とを有している。拡径部２２は、シールドパイプ２Ａにおける一端からの一部を成し、その内周面および外周面が隣に連なる基部２１よりも大きな径で形成されている。拡径部２２は、シールドパイプ２の端の開口２０の枠を形成している。
【００３９】
拡径部２２は、シールドパイプ２における一端からの一部を成し、その内周面および外周面が隣に連なる部分（基部２１）よりも大きな径で形成された部分である。即ち、拡径部２２の内周面の径は基部２１の内周面の径よりも大きく、拡径部２２の外周面の径は基部２１の外周面の径よりも大きい。
【００４０】
シールドパイプ２は、全長に亘って横断面形状が一様なパイプにおける端からの一部分に対して径を拡げる加工が施されることによって得られた部材である。その加工方法の一例については後述する。
【００４１】
シールドパイプ２の基部２１は、拡径部２２の隣に連なる部分を含む。例えば、基部２１は、横断面形状が一様な管状である。基部２１は、直管状または曲がった管状である。図１が示す例では、基部２１は円筒状である。なお、基部２１が角パイプ状であることも考えられなくはない。
【００４２】
例えば、シールドパイプ２の拡径部２２は、シールドパイプ２の両端部各々に形成されている。
【００４３】
＜柔軟シールド部材＞
柔軟シールド部材３は、金属材料を含み柔軟な筒状に形成された部材である。柔軟シールド部材３の典型例は編組線である。編組線は、導線が筒状に編み込まれた構造を有する部材である。編組線を構成する導線は、例えば、銅を主成分とする線材とその線材の表面に形成されたメッキとを含む。なお、編組線を構成する導線が、アルミニウムを主成分とする線材を含むことも考えられる。
【００４４】
なお、柔軟シールド部材３が、筒状に丸められた金属布を含む部材であることも考えられる。金属布は、金属糸の織物である。金属布は、例えば銅を主成分とする金属の糸が縦方向および横方向に交差して織られた網目構造を有する生地である。また、金属布は、金属糸の生地に樹脂材料からなる柔軟性を有するフィルムが貼り付けられた構造を有する場合もある。金属布は、導電性および柔軟性を有する。
【００４５】
柔軟シールド部材３において、一方の端部３１寄りの一部がシールドパイプ２における拡径部２２の内周面側に被さった重なり部３２を成している。これにより、柔軟シールド部材３は、シールドパイプ２とともに一連の中空部を形成している。シールドパイプ２および柔軟シールド部材３が形成する一連の中空部は、電線１の配線路である。
【００４６】
＜連結部材＞
連結部材４は、シールドパイプ２の拡径部２２と柔軟シールド部材３の重なり部３２とを連結する部材であり、環状に形成されている。連結部材４は、柔軟シールド部材３の重なり部３２をシールドパイプ２における拡径部２２の内周面との間に挟み込んで留めている。なお、連結部材４が環状である例として、連結部材４の内周面の輪郭が楕円状または真円状である場合の他、連結部材４の内周面の輪郭が長円形（角丸長方形）である場合なども考えられる。
【００４７】
連結部材４は、例えば、表面にメッキが形成された鉄を主成分とする部材、またはステンレスを主成分とする部材である。
【００４８】
本実施形態における連結部材４は、シールドパイプ２における拡径部２２の内周面に沿う輪郭の環状に形成されている。連結部材４は、柔軟シールド部材３の重なり部３２をシールドパイプ２における拡径部２２の内周面との間に挟み込んでいる。例えば、連結部材４は、柔軟シールド部材３の重ね部３２をシールドパイプ２の内周面に対してその全周に亘る範囲で押し付けている。
【００４９】
図２が示すように、連結部材４の内周面が、シールドパイプ２における拡径部２２の隣に連なる基部２１の内周面と同じ径以上で形成されていることが考えられる。そうすれば、連結部材４がシールドパイプ２の中空部、即ち、電線１の配線路において内側へ出っ張らない。
【００５０】
＜電磁シールド部品付電線の製造手順の一例（第１の方法）＞
次に、図３〜５を参照しつつ、電磁シールド部品５および電磁シールド部品付電線１０の製造手順の一例（第１の方法）について説明する。
【００５１】
図３は、電磁シールド部品５が第１の方法で製造される場合におけるシールドパイプ２の端部の第１縦断面図（パイプ拡径加工前）である。図４は、電磁シールド部品５が第１の方法で製造される場合におけるシールドパイプの端部の第２縦断面図（パイプ拡径加工中）である。図５は、電磁シールド部品５が第１の方法で製造される場合における電磁シールド部品５の主要部の縦断面図（連結部材４装着前）である。
【００５２】
シールドパイプ２は、全長に亘って横断面形状が一様なパイプ原材２００の端部に対してその径を拡げる加工が施されることによって得られる。以下、その加工のことをパイプ拡径加工と称する。
【００５３】
第１の方法において、パイプ拡径加工は、図３，４が示すように、パイプ原材２００の内周面よりも大きな径の拡径成形面９１が形成された成形用金具９をパイプ原材２００の端の開口２０に挿入することによってパイプ原材２００の端からの一部を内側から押し広げる加工である。
【００５４】
成形用金具９において、拡径成形面９１の外径は、例えば、パイプ原材２００の内周面の径に、環状の連結部材４の厚みおよび柔軟シールド部材３の厚みの合計の２倍の寸法を加算した径と同じかそれよりも若干大きい。
【００５５】
パイプ拡径加工がパイプ原材２００に施されることにより、端部に拡径部２２が形成されたシールドパイプ２が得られる。拡径部２２の内周面は、成形用金具９の拡径成形面９１に沿う形状に成形される。
【００５６】
さらに、図５が示すように、連結部材４をシールドパイプ２の拡径部２２内に挿入する連結部材圧入工程が行われる。本工程は、柔軟シールド部材３がパイプ原材２００の外周面側に重ねられ、さらに柔軟シールド部材３における端部３１からの一部が拡径部２２の内側へ折り返された状態で行われる。
【００５７】
なお、柔軟シールド部材３における拡径部２２の内側へ折り返された部分が重ね部３２である。
【００５８】
連結部材４がシールドパイプ２の拡径部２２内に挿入される前の状態において、連結部材４の外径は、拡径部２２の内径から柔軟シールド部材３の厚みの２倍を差し引いた径よりも若干大きい。連結部材４は、例えば金属の環状部材であり、その径を変化させて維持する特別な構造を有していなくてよい。
【００５９】
連結部材圧入工程において、連結部材４は、シールドパイプ２の拡径部２２およびその内側の柔軟シールド部材３の重ね部３２のさらに内側へ押し込まれる。これにより、連結部材４は、その外径が若干収縮しつつ重ね部３２の内側に嵌り込む。その結果、連結部材４は、柔軟シールド部材３の重ね部３２を拡径部２２の内周面との間に挟み込んで留める状態となる。
【００６０】
連結部材圧入工程の後、電線１が、シールドパイプ２Ａの中空部に通される。例えば、図６が示すように、電線１は、柔軟シールド部材３が外周面側に重なった状態のシールドパイプ２Ａの中空部に通される。この場合、柔軟シールド部材３におけるシールドパイプ２Ａの外周面側に重なった部分がシールドパイプ２Ａにおける拡径部２２の延長方向へ引き出される。これにより、柔軟シールド部材３の折り返しは解除される。
【００６１】
柔軟シールド部材３は、上記のように引き出されることにより、電線１におけるシールドパイプ２Ａの開口２０から延び出た部分の周囲を覆う状態となる。
【００６２】
以上に示された手順によれば、電磁シールド部品５Ａの中空部に電線１を通す工程において、柔軟シールド部材３の中空部に電線１をその端から貫通させる必要がない。
【００６３】
なお、図６が示す手順以外の手順が採用されることも考えられる。例えば、柔軟シールド部材３が上記のように引き出された後に、電線１がシールドパイプ２およびそれに連結された柔軟シールド部材３の中空部に通されることも考えられる。
【００６４】
＜電磁シールド部品付電線の製造手順の一例（第２の方法）＞
次に、図７〜９を参照しつつ、電磁シールド部品５および電磁シールド部品付電線１０の製造手順の一例（第２の方法）について説明する。
【００６５】
第２の方法において、パイプ拡径加工は、柔軟シールド部材３がパイプ原材２００の外周面側に重ねられ、柔軟シールド部材３の端部３１からの一部分がパイプ原材２００における開口２０から内側面側へ折り返され、さらに連結部材４がその内側に重ねられた状態で行われる。
【００６６】
第２の方法のパイプ拡径加工は、図８，９が示すように、拡径成形面９１Ｘが形成された成形用金具９Ｘをパイプ原材２００の端の開口２０に挿入することによって連結部材４とパイプ原材２００の端からの一部とを連結部材４の内側から押し広げる加工である。
【００６７】
成形用金具９Ｘにおいて、拡径成形面９１Ｘの外径は、例えば、パイプ原材２００の内周面の径と同じかそれよりも若干大きい。
【００６８】
パイプ拡径加工がパイプ原材２００に施されることにより、端部に拡径部２２が形成されたシールドパイプ２と、径が拡大して柔軟シールド部材３の重ね部３２を拡径部２２との間に挟み込んで留める連結部材４とが同時に得られる。
【００６９】
第２方法におけるパイプ拡径加工の後の手順は、第１の方法における連結部材圧入工程の後の手順と同様である（図６参照）。
【００７０】
＜第２実施形態＞
次に、図１０を参照しつつ、第２実施形態に係る電磁シールド部品付電線１０Ａについて説明する。図１０は、電磁シールド部品付電線１０Ａの主要部の縦断面図である。図１０において、図１〜９に示される構成要素と同じ構成要素は、同じ参照符号が付されている。
【００７１】
電磁シールド部品付電線１０Ａは、図１，２が示す電磁シールド部品付電線１０と比較して、シールドパイプ２の代わりに樹脂被膜付のシールドパイプ２Ａを備える点、およびグロメット６が追加されている点が異なる。以下、電磁シールド部品付電線１０Ａにおける電磁シールド部品付電線１０と異なる点について説明する。
【００７２】
電磁シールド部品付電線１０Ａも、電磁シールド部品付電線１０と同様に、電線１とその電線１の周囲を囲む電磁シールド部品５Ａとを備えている。電磁シールド部品５Ａは、シールドパイプ２Ａと柔軟シールド部材３と連結部材４とを備えている。
【００７３】
シールドパイプ２Ａは、金属パイプ２０１とその金属パイプ２０１の外周面に形成された絶縁被膜２０２とを有するパイプである。金属パイプ２０１は、例えばアルミニウムまたはステンレスなどの金属を主成分とするパイプである。また、絶縁被膜２０２は、例えば、合成樹脂またはゴム系材料の塗装膜などである。
【００７４】
シールドパイプ２Ａは、絶縁被膜２０２が形成されていること以外はシールドパイプ２と同じ構造を有している。
【００７５】
さらに、電磁シールド部品付電線１０Ａは、非導電性の筒状の弾性部材であるグロメット６も備えている。例えば、グロメット６は、ゴムまたはエラストマーなどのゴム系材料を主成分とする部材である。
【００７６】
グロメット６は、電磁シールド部品付電線１０Ａが車両のボディなどの支持体に取り付けられた際に、柔軟シールド部材３への液体の浸入を防ぐための部材である。グロメット６は、その一端寄りの部分を占める第一閉塞部６１と他端寄りの部分を占める第二閉塞部６２とそれらの間の中間部６３とを有している。
【００７７】
第一閉塞部６１は、シールドパイプ２Ａに対してその拡径部２２の外周面に密接する状態で被せられる部分である。一方、第二閉塞部６２は、例えば、支持体における電線１の通路を成す開口の周囲に形成された枠部（不図示）に被せられる。その枠部は、例えば、電線１の接続先の機器を収容する筐体の開口の周囲に形成されている。
【００７８】
自然状態のグロメット６において、第一閉塞部６１の内周面は、シールドパイプ２Ａにおける基部２１（拡径部２２の隣に連なる部分）の外周面よりも大きな径で、かつ、拡径部２２の外周面よりも小さな径で形成されている。なお、自然状態のグロメットとは、外力が加わっていない状態のグロメットを意味する。
【００７９】
また、図１０が示す例では、第一閉塞部６１に連なる中間部６３の内周面は、シールドパイプ２Ａにおける拡径部２２の外周面よりも大きな径で形成されている。なお、図１０が示す例では、グロメット６の内周面全体がシールドパイプ２Ａの基部２１の外周面よりも大きな径で形成されている。
【００８０】
電磁シールド部品５Ａが車両のボディなどの支持体に取り付けられる際、グロメット６をシールドパイプ２Ａの外周面に沿って移動させることが必要になる。グロメット６をシールドパイプ２Ａの外周面に沿って移動させる作業において、グロメット６とシールドパイプ２Ａとの間の摩擦抵抗は、第一閉塞部６１が拡径部２２を通るとき以外はごく小さい。そのため、第一閉塞部６１が拡径部２２を通るとき以外はごく小さな力でグロメット６をシールドパイプ２Ａに沿って移動させることができる。
【００８１】
図１０が示す例では、グロメット６は、その全体がシールドパイプ２Ａの基部２１を囲む状態でシールドパイプ２Ａに仮留めされ、その後、第一閉塞部６１が拡径部２２の外周面に密接する位置まで移動される。
【００８２】
しかしながら、シールドパイプ２Ａへのグロメット６の仮留め状態が、第一閉塞部６１が基部２１を囲むとともに中間部６３が拡径部２２を囲む状態であることも考えられる。
【００８３】
＜効果＞
電磁シールド部品５，５Ａにおいて、金属材料を含む硬質のシールドパイプ２，２Ａの端部には、隣に連なる基部２１よりも大きな径で形成された拡径部２２が形成されている。そして、柔軟シールド部材３は、シールドパイプ２，２Ａの拡径部２２の内側面とその内側の連結部材４との間に挟み込まれている。
【００８４】
電磁シールド部品５，５Ａが採用されれば、金属材料を含む丈夫な柔軟シールド部材３が、電線１とシールドパイプ２，２Ａの端部との間に介在して電線１の損傷を防ぐ。そのため、シールドパイプ２，２Ａのエッジのカバーは不要である。
【００８５】
また、電磁シールド部品５，５Ａが採用されれば、シールドパイプ２，２Ａの基部２１（拡径部２２以外の部分）の内周面と電線１の外周面との間の隙間が小さくても、拡径部２２において、柔軟シールド部材３を留める連結部材４を挿入できるだけの隙間を確保することができる。そのため、シールドパイプ２，２Ａ（硬質パイプ）の中空部における電線１の収容密度を高めても、柔軟シールド部材３をシールドパイプ２，２Ａに問題なく連結できる。
【００８６】
ところで、電線１がその端から編組線などの柔軟シールド部材３の中空部に通される場合、電線１が柔軟シールド部材３に引っ掛かりやすい。
【００８７】
一方、電磁シールド部品５，５Ａが採用されれば、図６が示すように、電磁シールド部品５，５Ａの中空部に電線１を通す工程において、柔軟シールド部材３の中空部に電線１をその端から貫通させる必要がない。その結果、電磁シールド部品５，５Ａの中空部に電線１を容易に通すことが可能になる。
【００８８】
また、電磁シールド部品５，５Ａにおいて、連結部材４の内周面がシールドパイプ２，２Ａの基部２１の内周面と同じ径以上で形成されていれば、シールドパイプ２，２Ａの拡径部２２内に挿入された連結部材４の内周面が、シールドパイプ２，２Ａの基部２１の内周面の延長面から内側へ突出しない。そのため、シールドパイプ２，２Ａ（硬質パイプ）の中空部における電線１の収容密度をより高めることができる。また、電線１がシールドパイプ２，２Ａの中空部に通される際に、電線１が連結部材４に引っ掛かりにくい。
【００８９】
また、電磁シールド部品５Ａのシールドパイプ２Ａが採用されれば、絶縁被膜２０２が、金属パイプ２０１に高電圧が生じた場合でも感電を防ぐ。また、柔軟シールド部材３は、金属パイプ２０１（シールドパイプ２Ａ）の内周面に接する。そのため、シールドパイプ２Ａの絶縁被膜２０２が金属パイプ２０１と柔軟シールド部材３との電気的な接続を阻害することもない。
【００９０】
また、電磁シールド部品５，５Ａが採用されれば、図８，９が示すように、シールドパイプ２，２Ａの拡径部２２を作るパイプ加工工程（パイプ拡径加工工程）が、連結部材４の取付工程を兼ねることができる。これにより電磁シールド部品５，５Ａの製造工程を簡素化できる。しかも、ごくシンプルな連結部材４を用いて柔軟シールド部材３をシールドパイプ２，２Ａに留めることができる。
【００９１】
また、電磁シールド部品５Ａが採用されれば、グロメット６をシールドパイプ２Ａの外周面に沿って移動させる作業において、ごく小さな力でグロメット６を移動させることができる。その結果、グロメット６を含む電磁シールド部品５Ａを支持体に取り付ける作業が容易となる。
【００９２】
＜応用例＞
シールドパイプ２Ａが電磁シールド部品５に適用されることも考えられる。また、グロメット６が電磁シールド部品５に適用されることも考えられる。
【００９３】
なお、本発明に係る電磁シールド部品および電磁シールド部品付電線は、各請求項に記載された発明の範囲において、以上に示された各実施形態および応用例を自由に組み合わせること、或いは各実施形態および応用例を適宜、変形するまたは一部を省略することによって構成されることも可能である。
【符号の説明】
【００９４】
１０，１０Ａ  電磁シールド部品付電線
１  電線
２，２Ａ  シールドパイプ
２０  シールドパイプの開口
２００  パイプ原材
２０１  金属パイプ
２０２  絶縁被膜    
２１  シールドパイプの基部
２２  シールドパイプの拡径部
３  柔軟シールド部材
３１  柔軟シールド部材の端部
３２  柔軟シールド部材の重ね部
４  連結部材
５，５Ａ  電磁シールド部品
６  グロメット
６１  第一閉塞部
６２  第二閉塞部
６３  中間部
９，９Ｘ  成形用金具
９１，９１Ｘ  拡径成形面
【図１】
2015149176.tif 000003
【図２】
2015149176.tif 000004
【図３】
2015149176.tif 000005
【図４】
2015149176.tif 000006
【図５】
2015149176.tif 000007
【図６】
2015149176.tif 000008
【図７】
2015149176.tif 000009
【図８】
2015149176.tif 000010
【図９】
2015149176.tif 000011
【図１０】
2015149176.tif 000012